(57)【特許請求の範囲】
【請求項１】
動画像信号を入力する入力手段と、
前記入力手段から入力された前記動画像信号に対応する映像ファイルを記録するランダムアクセス可能な第１記録手段と、
前記映像ファイルに関連付けて、前記第１記録手段における前記動画像ファイルの記録開始位置情報、記録終了位置情報、及び、前記映像ファイルの映像シーンを識別するためのシーン識別情報を記録する第２記録手段と、
前記第１記録手段に記録された前記映像ファイルに対応する画像を表示手段上に一覧表示する一覧表示手段と、
前記一覧表示された画像を指定することにより、前記映像ファイルを一つ選択する選択手段と、
前記選択手段により選択された映像ファイルに関連付けられたシーン識別情報と同一のシーン識別情報が関連付けられた複数の映像ファイルを前記表示手段に順次再生するレビュー再生手段と、
を有することを特徴とする録画再生装置。
【請求項２】
さらに、
前記動画像信号を取得可能なモードである撮影モードを設定する撮影モード設定手段と、
前記一覧表示手段により一覧表示可能である再生モードを設定する再生モード設定手段と、
を有し、
前記撮影モードが設定されてから前記再生モードに切り換えられるまでの前記映像シーンを同一の映像シーンとすることを特徴とする請求項１に記載の録画再生装置。
【請求項３】
さらに、該録画再生装置の電源オンと電源オフとを切り替える電源切替手段を有し、
前記電源切替手段により前記電源オンされてから前記電源オフされるまでの前記映像シーンを同一の映像シーンとすることを特徴とする請求項１に記載の録画再生装置。
【請求項４】
前記動画像信号の記録日が同一である場合の前記映像シーンを同一の映像シーンとすることを特徴とする請求項１に記載の録画再生装置。
【発明の詳細な説明】
【技術分野】
【０００１】
本発明は録画再生装置である電子カメラ、特に動画像をデジタルで記録するデジタルムービーカメラに関する。
【背景技術】
【０００２】
従来、動画像を記録するムービーカメラにおいては記録媒体として磁気テープが用いられている。このような録画再生装置の場合、使用者が録画に際して記録ミスを調べる手段として録画終了地点である直前に撮影された映像カットの最後尾から数秒分のテープ記録を巻き戻して再生することにより確認することができるレビュー機能が設けられている。
【発明の開示】
【発明が解決しようとする課題】
【０００３】
しかしながら、レビューしてみたい箇所は必ずしも直前に録画された映像カットの最後尾とは限らず、撮影者が事前に意図した通りの録画が出来ているかを確認するためには、撮影開始直後の映像を確認するために、映像カットの先頭からレビューが行えることが必要となる。しかし、映像カットの先頭からレビューを行う場合は、記録媒体である磁気テープの特性上、テープの巻き戻し作業を行いながら映像カットの先頭部分である映像カット間の切れ目を探すため、動作が非常に面倒なものとなり高速にレビューを行うことは困難であるという問題があった。
【０００４】
また、数カットにわたる１つの映像シーンの全体をレビューする場合は、上述と同様に映像シーンの先頭部分を巻き戻しながら映像シーンの先頭部分を探し出す必要がある。そのため使用者に煩雑な操作および熟練が要求されるという問題があった。
【０００５】
本発明は上述のような従来の磁気テープを使用したムービーカメラの問題点を解決し、記録の確認を迅速に行え、映像カットの先頭も、複数の映像カットからなる１映像シーンも素早くレビューできる録画再生装置を提供する。
【課題を解決するための手段】
【０００６】
本発明に係る録画再生装置は、動画像信号を入力する入力手段と、前記入力手段から入力された前記動画像信号に対応する映像ファイルを記録するランダムアクセス可能な第１記録手段と、前記映像ファイルに関連付けて、前記第１記録手段における前記動画像ファイルの記録開始位置情報、記録終了位置情報、及び、前記映像ファイルの映像シーンを識別するためのシーン識別情報を記録する第２記録手段と、前記第１記録手段に記録された前記映像ファイルに対応する画像を表示手段上に一覧表示する一覧表示手段と、前記一覧表示された画像を指定することにより、前記映像ファイルを一つ選択する選択手段と、前記選択手段により選択された映像ファイルに関連付けられたシーン識別情報と同一のシーン識別情報が関連付けられた複数の映像ファイルを前記表示手段に順次再生するレビュー再生手段と、を有することを特徴とする。
【発明の効果】
【０００９】
本発明の一態様によれば、複数の映像ファイルからなる映像シーンを示すシーン識別情報を記憶することにより、映像シーン毎のレビューを素早く行うことが可能となる。
【発明を実施するための最良の形態】
【００１０】
本発明の第１実施形態について図１、図２、図３、図４及び図５を用いて説明する。
【００１１】
図１は第１実施形態における録画再生装置の外観図である。
【００１２】
図２は第１実施形態における録画再生装置の構成を示すブロック図である。
【００１３】
図３は第１実施形態におけるレビュー動作設定の画面の一例を示す説明図である。
【００１４】
図４は第１実施形態における録画再生装置の制御を示すフローチャート図である。
【００１５】
図５は第１実施形態における映像ファイルを示す説明図である。
【００１６】
まず、第１実施形態の録画再生装置１００の構成について図１および図２を用いて説明する。
【００１７】
図１に示すように、第１実施形態の録画再生装置１００は、表示部本体１とカメラ部本体２とが相互に回転可能に取り付けられた構成となっている。
【００１８】
表示部本体１には、液晶表示部４と液晶表示部４の前面に重ねて配置されたタッチパネル５とが設けられている。また、表示部本体１には、光磁気記録装置６及び録画再生装置１００の操作手段である電源スイッチ７、カメラ／ＤＤＲ切換スイッチ８、録画開始ボタン９、レビュースイッチ１０及びズームボタン１１が設けられている。
【００１９】
カメラ部本体２には撮像光学系である撮影レンズ３が設けられている。
【００２０】
また、図２に示すように、録画再生装置１００の内部は、レンズ駆動部１２、撮像素子１３、Ａ／Ｄ変換部１４、信号処理部１５、フレームメモリ１６、データ圧縮伸長部１７、バッファメモリ１８、データアクセス部１９、音声入出力部２０、Ｄ／Ａ変換部２１、Ａ／Ｄ変換部２２、音声信号処理部２３、表示画像処理部２４、制御部２５、タッチパネル入力部２６、ＲＯＭ２７、ＲＡＭ２８、操作部材入力部２９とから構成される。なお、レンズ駆動部１２、撮像素子１３、Ａ／Ｄ変換部１４及び信号処理部１５はカメラ部本体２内に配置され、それ以外の構成は表示部本体１内に配置されている。
【００２１】
撮影レンズ３は、撮影対象の像を後述する撮像素子１３の撮像面上に結像させるための結像光学系である。撮影レンズ３は後述するレンズ駆動部１２によってオートフォーカス等の駆動が制御される。
【００２２】
液晶表示部４は、撮像素子１２によって撮影された画像を表示する液晶ディスプレイである。また液晶表示部は、録画再生装置１００の設定を行う際にメニューを表示する。
【００２３】
タッチパネル５は、指やペン先等でパネル面を接触することにより入力を行う入力デバイスである。タッチパネル５は、接触操作により指示された位置に対応する位置信号を出力する。タッチパネル５は、ガラスまたは樹脂等の透明な材料により構成されており、タッチパネル５の内側に形成されている液晶表示部４に表示される画像を、タッチパネル４を介して見ることが可能となっている。タッチパネル５からの位置信号はタッチパネル入力部２６に出力される。
【００２４】
光磁気記録媒体６は、撮影した映像及び音声を記録する記録媒体である。光磁気記録媒体６は、ランダムアクセスが可能なディスク形状をしている。
【００２５】
電源スイッチ７は、録画再生装置１００を起動するメインスイッチである。
【００２６】
カメラ／ＤＤＲ切換スイッチ８は、録画再生装置１００における動作のモードを切り換えるスイッチである。カメラ／ＤＤＲ切換スイッチ８は、カメラ側に切り換えることにより撮影動作を行う撮影モードに設定される。また、カメラ／ＤＤＲ切換スイッチ８は、ＤＤＲ（デジタルディスクレコーダ）側に切り換えることで光磁気記録媒体６に記録された映像の再生動作を行う再生モードに設定される。
【００２７】
録画開始ボタン９は、録画再生装置１００に録画動作を実行させるためのボタンである。録画開始ボタン９は、録画再生装置１００が撮影モードに設定され、待機している状態で押されると録画動作を開始し、録画動作中に再度録画ボタン９が押されることにより録画動作を終了し、待機状態に戻す。
【００２８】
レビュースイッチ１０は、ボタンが押されることによりレビュー動作すなわち直前に録画された画像の録画開始部分から一定時間もしくは最後の部分の一定時間を再生する動作を実行させる。
【００２９】
ズームボタン１１は、録画時の撮影倍率を変更するためのボタンである。ズームボタン１１は、ワイド（Ｗ）側が押されることで撮影倍率を現在の倍率よりも低くする。また、ズームボタン１１は、テレ（Ｔ）側が押されることで撮影倍率を現在の倍率よりも高くする。尚、本実施形態においては、撮影倍率を変更する手段は光学ズームと電子ズームのどちらでも良い。
【００３０】
レンズ駆動部１２は、撮影レンズ３におけるオートフォーカス動作等の駆動を制御する。レンズ駆動部１２は、信号処理部１５から出力される信号に基づいて撮影レンズ３の駆動制御を行う。
【００３１】
撮像素子１３は、撮像面に入射した光を映像信号に変換して出力する光電変換素子である。撮像素子１３の例としてはＣＣＤが挙げられる。撮像素子１３は、信号処理部１５からの信号に基づいて撮像時のゲインが調整される。変換された映像信号はＡ／Ｄ変換部１４に出力される。
【００３２】
Ａ／Ｄ変換部１４は、撮像素子１３から出力された映像信号をアナログ信号からデジタル信号に変換する。デジタル信号に変換された映像信号は信号処理部１５に出力される。
【００３３】
信号処理部１５は、Ａ／Ｄ変換部１４から出力された映像信号に対して、ホワイトバランス調整やガンマ変換等の信号処理を行う。信号処理を行った映像信号はフレームメモリ１６に出力される。また、信号処理部１５は映像信号中の輪郭成分から合焦状態を検出し、検出した情報をレンズ駆動部１２に出力する。また、信号処理部１５は、映像信号中の輝度情報を検出し、検出した情報を撮像素子１３に出力する。
【００３４】
フレームメモリ１６は、映像信号を１フレーム分あるいは１フィールド分蓄積するメモリである。フレームメモリ１６は、信号処理部１５から出力された映像信号を１フレーム分あるいは１フィールド分蓄積した後にデータ圧縮伸長部１７及び表示画像形成部２４に出力する。また、フレームメモリ１６は、データ圧縮伸長部１７から出力された映像信号を１フレーム分あるいは１フィールド分蓄積した後に表示画像形成部２４に出力する。
【００３５】
データ圧縮伸長部１７は、フレームメモリ１６から出力された映像信号及び、バッファメモリ１８から出力された未圧縮の映像信号および音声信号を圧縮してバッファメモリ１８に出力する。また、データ圧縮伸長部１７は、バッファメモリ１８から出力された圧縮済の映像信号を伸長してフレームメモリ１６に出力する。データ圧縮伸長部１７は、制御部２５により圧縮動作および伸長動作が制御される。
【００３６】
バッファメモリ１８は、データ圧縮伸長部１７及びデータアクセス部１９及び音声信号処理部２３から出力される映像信号及び音声信号を一時的に蓄積するメモリである。バッファメモリ１８はデータ圧縮伸長部１７から出力された映像信号をデータアクセス部１９に出力する。また、バッファメモリ１８は、データアクセス部１９から出力された映像信号をデータ圧縮伸長部１７に出力する。また、バッファメモリ１８は、音声信号処理部２３から出力された音声信号をデータアクセス部１９に出力する。また、バッファメモリ１８は、データアクセス部１９から出力された音声信号を音声信号処理部２３に出力する。
【００３７】
データアクセス部１９は、光磁気記録媒体６に対して映像信号及び音声信号の読み出し及び書き込みを行うためのインターフェイスである。データアクセス部１９は制御部２５によって制御されている。データアクセス部１９は、バッファメモリ１８から出力される圧縮された映像信号及び音声信号を光磁気記録媒体６に書き込ませる。また、データアクセス部１９は、光磁気記録媒体６から読み出した映像信号及び音声信号をバッファメモリ１８に出力する。
【００３８】
音声入出力部２０は、記録する音声を取り込むための不図示のマイクロフォン及び記録されている音声を再生するための不図示のスピーカーからなる。マイクロフォンによって取り込まれた音声は音声信号に変換された後にＡ／Ｄ変換部２２に出力される。また、スピーカーはＤ／Ａ変換部２１から出力される音声信号を再生する。
【００３９】
Ｄ／Ａ変換部２１は、音声信号処理部２３から出力された音声信号をデジタル信号からアナログ信号に変換する。Ｄ／Ａ変換された音声信号は音声入出力部２０に出力され、不図示のスピーカを介して外部に出力される。
【００４０】
Ａ／Ｄ変換部２２は、音声入出力部２０から出力された音声信号をアナログ信号からデジタル信号に変換する。Ａ／Ｄ変換された音声信号は音声信号処理部２３に出力される。
【００４１】
音声信号処理部２３は、Ａ／Ｄ変換部２２から供給される音声信号を圧縮してバッファメモリ２６に出力する。また音声信号処理部２３は、バッファメモリ２６から読み出された音声信号を伸長して、Ｄ／Ａ変換部３０に出力する。
【００４２】
表示画像作成部２４は、フレームメモリ１６から出力された映像信号を液晶表示部４における表示用に変換する。変換された映像信号は液晶表示部４に出力され、画像として表示される。
【００４３】
制御部２５は、録画再生装置１００内の各構成を制御する制御回路である。制御部２５は電源スイッチ７、カメラ／ＤＤＲ切り換えスイッチ８、録画開始ボタン９、レビューボタン１０及びズームボタン１１の各操作部材が操作されることで入力される指示を操作部材入力部２９を介して受信し、受信した指示に基づいて録画再生装置１００の制御を行う。制御部２５にはＲＯＭ２７及びＲＡＭ２８が接続されている。制御部２５はＲＯＭ２５内に格納された制御プログラムを読み出して録画再生装置１００の制御を行う。また、制御部２５は、図示せぬタイマを内蔵しており、常に計時動作を行っている。制御部２５はカメラ／ＤＤＲ切換スイッチ８がカメラ側にあるときに録画再生装置１００を撮影モードに設定し待機する。また、制御部２５はカメラ／ＤＤＲ切換スイッチ８がＤＤＲ側にあるときに録画再生装置１００を再生モードに設定する。また、制御部２５は、撮影モードの状態で待機中に録画開始ボタン９が押されるのに応答して録画動作を開始し、録画動作中に再度録画開始ボタン９が押されたら録画動作を終了する。録画終了後は、録画動作中に撮影された映像すなわち１カットの映像信号を１つのファイルとして光磁気記録媒体６に記録し、撮影待機の状態に戻る。また、制御部２５は、録画動作開始時に録画するカットのファイル名及び光磁気記録媒体６における記録開始位置のアドレス及びシーン識別コードをＲＡＭ２８に記録する。ここで、第１実施形態におけるシーンとは、録画再生装置１００を撮影モードに設定してから再生モードに切り換えるまでに撮影された映像カットの集まりを１つのシーンとする。また、制御部２５は録画動作が終了すると終了時の光磁気記録媒体６のアドレスをＲＡＭ２８に記録する。また、制御部２５は所定時間の録画動作を１インターバルとして設定し、１インターバルが経過する毎に光磁気記録媒体６における１インターバル経過時点の記録位置アドレスをＲＡＭ２８に記録する。尚、１インターバル分の所定時間が経過したかどうかの判別については、不図示の内蔵タイマによって計時を行うことで所定時間の録画動作が行われたかどうかを判別しても良いし、１インターバル分の録画動作を行った場合の録画フレーム数を設定した上で、所定数のフレームの録画動作が行われたかどうかを判別しても良い。また、１インターバルの単位としては、動画記録における標準的なフォーマットであるＭＰＥＧ（Ｍｏｔｉｏｎ  Ｐｉｃｔｕｒｅ  Ｅｘｐｅｒｔｓ  Ｇｒｏｕｐ）フォーマットにおけるＧＯＰ（Ｇｒｏｕｐ  Ｏｆ  Ｐｉｃｔｕｒｅ）をインターバルの単位とみなしてもよい。また、制御部２５は、レビュースイッチ１０の入力に応答して、直前に録画された画像のカット先頭から一定時間もしくはカット末尾の部分の一定時間をレビュー再生させる。レビュー再生時における再生時間は、カットの先頭でレビュー再生を行う場合はカットの先頭から所定数のインターバル分を再生し、カットの末尾でレビュー再生を行う場合はカット末尾の直前のインターバル位置から所定数のインターバル分を遡って再生すれば良い。
【００４４】
タッチパネル入力部２６は、タッチパネル５からの操作の入力信号である位置信号を制御部２５に出力する。
【００４５】
ＲＯＭ２７は、録画再生装置１００を制御するためのプログラムが格納された読み出し専用メモリである。ＲＯＭ２７に格納されたプログラムは、制御部２５によって必要に応じて適宜読み出されることにより使用される。
【００４６】
ＲＡＭ２８は、制御部２５が各種の処理を実行する上において必要なデータやプログラム等を適宜記録するためのメモリである。ＲＡＭ２８は、映像ファイルの記録開始アドレスと記録終了アドレス及び、録画動作中のインターバル番号及びインターバルアドレスを記録する。またＲＡＭ２８は、映像ファイルのシーン識別コードを記録する。ＲＡＭ２８は、録画再生装置１００の電源がオフになった場合でも記録内容の消えることが無いよう不揮発メモリで構成されている。
【００４７】
操作部材入力部２９は、前述の電源スイッチ７、カメラ／ＤＤＲ切換スイッチ８、録画開始ボタン９、レビュースイッチ１０、ズームボタン１１の各操作部材からの信号を制御部２５に出力する。
【００４８】
尚、データ圧縮伸長部１６及び表示画像作成部２４及び制御部２５及びタッチパネル入力部２６は、マイクロプロセッサの内部機能により実現される。
【００４９】
次に、液晶表示部４及びタッチパネル５による撮影モードの設定を図３を用いて説明する。図３に示すように、液晶表示部４上に表示されたメニュースイッチ位置のタッチパネルをクリックすることによって、設定メニューが表示される。設定メニューにおいては、図中の左上に表示された上位の階層メニューを選択する毎に下位の階層を表示する。設定メニューにおいては、録画再生装置１００の撮影モードやオプションの機能が設定可能となっている。本実施形態においては、オプションメニューの中にレビューモードの設定を設けている。レビューモード設定においては、レビューを行う部分の選択として、映像カットの先頭か末尾かを選択するようになっている。また、撮影終了直後に自動的にレビューを行うオートレビューモードのオン／オフを選択するようになっている。設定の選択は、選択したいメニューが表示された部分のタッチパネルをクリックすることにより選択する。図３においては、レビュー部分として先頭表示モードが選択され、オートレビューモードはオンが選択された状態を示している。
【００５０】
次に、第１実施形態における制御の手順について図４を用いて説明する。
【００５１】
カメラ／ＤＤＲ切換スイッチ８がカメラ側に切り換えられ、録画再生装置１００が撮影モードに設定されると、図４に示すフローチャートのステップＳ１に飛ぶ。
【００５２】
次に、ステップＳ２において、レビュースイッチ１０のオン／オフの状態を調査する。レビュースイッチ１０がオンの場合はレビュー動作を行うものと判断してステップＳ３に進む。また、レビュースイッチ１０がオフの場合はレビュー動作を行わないもの判断としてステップＳ４に進む。
【００５３】
ステップＳ２においてレビュースイッチ１０の状態がオンであるとステップＳ３に進む。ステップＳ３は、光磁気記録媒体に記録された映像信号の再生時間を所定の時間ＴＬに設定する。ステップＳ３の処理が完了するとステップＳ１３に進む。
【００５４】
ステップＳ２においてレビュースイッチ１０の状態がオフであるとステップＳ４に進む。ステップＳ４は、録画開始ボタン９の入力の有無を調査する。録画開始ボタン９の入力が有る場合は、録画を行うものと判断してステップＳ５に進む。また、録画開始ボタン９の入力がない場合は、録画を行わないものと判断してステップＳ２に進み、録画開始ボタン９もしくはレビュースイッチ１０に対する入力があるまで待機する。
【００５５】
ステップＳ４において録画開始ボタン９の入力がある場合はステップＳ５に進む。ステップＳ５は、録画を行うカットのファイル名及び光磁気記録媒体６におけるファイルの先頭位置アドレス及び記録時間のインターバルＴ０とをＲＡＭ２８に記録する。また、後述するシーンのレビューに用いるシーン識別コードもＲＡＭ２８に記録する。ステップＳ５の処理が完了するとステップＳ６に進む。
【００５６】
次に、ステップＳ６において、録画動作を行わせる。ステップＳ６の処理が完了するとステップＳ７に進む。
【００５７】
次に、ステップＳ７において、所定時間の録画動作を行ったかどうかを判別する。所定時間の録画が行われていた場合はステップＳ７に進む。また、所定時間の録画動作が行われていない場合はステップＳ９に進む。
【００５８】
ステップＳ８において所定時間の録画動作が行われていたらステップＳ８に進む。ステップＳ８は、所定時間の録画が行われた現時点での光磁気記録媒体６におけるファイルの記録位置アドレス及び、記録時間のインターバルの値を１加算してＲＡＭ２８に記録する。ステップＳ８の処理が完了するとステップＳ９に進む。
【００５９】
次に、ステップＳ９において、録画開始ボタン９の入力の有無を調査する。録画開始ボタン９の入力が有る場合は録画動作を終了するものと判断しステップＳ１０に進む。録画開始ボタン９の入力が無い場合は録画動作を継続するものと判断しステップＳ６に進み、録画動作を継続する。
【００６０】
ステップＳ９において録画開始ボタン９の入力が有る場合はステップＳ１０に進む。ステップＳ１０は、録画動作を終了させる。そして、録画動作終了時点の映像ファイルの光磁気記録媒体６における終了位置アドレスをＲＡＭ２８に記録する。ステップＳ１０の処理が完了するとステップＳ１１に進む。
【００６１】
次に、ステップＳ１１において、オートレビュー動作のオン／オフの設定状態を調査する。オートレビュー動作の設定状態がオンの場合はレビュー動作を行うものと判断してステップＳ１２に進む。また、オートレビュー動作の設定状態がオフの場合はレビュー動作を行わないもの判断としてステップＳ２に進み待機する。
【００６２】
ステップＳ１１においてオートレビュー動作の設定状態がオンであるとステップＳ１２に進む。ステップＳ１２は、光磁気記録媒体に記録された映像信号の再生時間をＴＬよりも短い所定時間ＴＳに設定する。ステップＳ１２の処理が完了するとステップＳ１３に進む。
【００６３】
次に、ステップＳ１３において、レビュー位置の設定がカットの先頭か末尾かを調査する。レビュー位置がカット先頭で設定されている場合はステップＳ１４に進む。また、レビュー位置がカット末尾で設定されている場合はステップＳ１７に進む。
【００６４】
ステップＳ１３においてレビュー位置がカット先頭で設定されているとステップＳ１４に進む。ステップＳ１４は、ＲＡＭ２８に記録されている映像ファイルの記録位置アドレスを呼び出し、再生開始位置としてファイルの先頭すなわち記録開始時点のアドレスをセットし再生開始位置に頭だしする。ステップＳ１４の処理が完了するとステップＳ１５に進む。
【００６５】
次に、ステップＳ１５において、映像ファイルの再生動作を行わせる。ステップＳ１５の処理が完了するとステップＳ１６に進む。
【００６６】
次に、ステップＳ１６において、ステップＳ３もしくはステップＳ１２において設定した再生時間が経過したかどうかを調査する。設定した再生時間が経過した場合はステップＳ２に進み待機する。また、設定した再生時間が経過した場合はステップＳ１５に進み、映像ファイルの再生動作を継続させる。
【００６７】
ステップＳ１３においてレビュー位置がカット末尾で設定されているとステップＳ１７に進む。ステップＳ１７は、ＲＡＭ２８に記録されている映像ファイルの記録位置アドレスを呼び出し、再生開始位置としてファイルの末尾からステップＳ３もしくはステップＳ１２において設定した再生時間分を差し引いた位置のファイルアドレスをセットし再生開始位置に頭だしする。ステップＳ１７の処理が完了するとステップＳ１８に進む。
【００６８】
次に、ステップＳ１８において、映像ファイルの再生動作を行わせる。ステップＳ１８の処理が完了するとステップＳ１９に進む。
【００６９】
次に、ステップＳ１９において、ステップＳ３もしくはステップＳ１２において設定した再生時間が経過したかどうかを調査する。設定した再生時間が経過した場合はステップＳ２に進み待機する。また、設定した再生時間が経過した場合はステップＳ１８に進み、映像ファイルの再生動作を継続させる。
【００７０】
尚、第１実施形態においては、図４のステップＳ３で設定される使用者の指示によるレビューモードの再生時間と、ステップＳ１２で設定される録画直後のオートレビューオードの再生時間とに差を設けている。これは、オートレビューモードはレビュー時間を長めに設定すると次の録画に入るタイミングが遅れることになり、場合によっては不便になることが想定されるため、再生時間を短時間に設定している。逆に、使用者の指示によるレビューはある程度の再生時間が有るほうが親切であると考えられるため、再生時間はオートレビューモードよりも長い時間を設定している。このレビューモードの違いによる再生時間の設定例を図５に示す。図５は本発明の第１実施形態における映像ファイルを示す説明図である。図５に示すように、第１実施形態の映像ファイルは、光磁気記録媒体６における記録開始アドレスと記録終了アドレスと、録画動作中の所定時間録画動作毎のインターバル番号及び光磁気記録媒体の記録位置であるインターバルアドレスとがＲＡＭ２８に記録される。そして、制御部２５は図５の例において、オートレビューモードの再生時間であるＴＳとして、Ｔ０からＴ２もしくはＴｎ−２からＴｎまでの３インターバル分を設定し、記録位置アドレスに基づいてオートレビュー再生を行う。また、操作者の指示によるレビューモードの場合は、再生時間ＴＬとしてＴ０からＴ３もしくはＴｎ−３からＴｎまでの４インターバル分を設定し、記録位置アドレスに基づいてレビュー再生を行う。このように、制御部２５は再生を行う際のインターバルの数をレビューモードに応じて変化させることで、再生時間に差を設けている。
【００７１】
また、映像の録画時間によっては、１つの映像ファイルがレビューモードの再生時間よりも短い場合が考えられる。このような場合においては、ファイル全部を再生するようにすればよい。
【００７２】
また、第１実施形態においては、映像のファイルにつけるファイル名をＲＡＭ２８に記録したが、ファイル名は、光磁気記録媒体６の映像ファイルとは別の領域に記録するようにしてもよい。同様に、光磁気記録媒体６における記録開始アドレスと録画動作中のインターバル番号とアドレス及び記録終了アドレスについても、光磁気記録媒体６の別領域に記録するようにしてもよい。
【００７３】
次に、第１実施形態におけるシーンレビュー動作について図６及び図７を用いて説明する。
【００７４】
図６は第１実施形態における再生モード時の表示画面の一例を示す説明図である。
【００７５】
図７は第１実施形態におけるシーンレビュー動作の制御を示すフローチャート図である。
【００７６】
まず、第１実施形態におけるシーンレビュー動作とは、一度の撮影モードで複数カットの撮影を行った後に録画再生装置１００を再生モードに設定した場合に、撮影モード時に同一のシーン識別コードを付された映像カットのファイルを録画順に早送り再生する機能である。
【００７７】
次に、録画再生装置１００の再生モード時における液晶表示部４の表示例を図６を用いて説明する。
【００７８】
図６において、Ａ，Ｂ，Ｃ，Ｄ，Ｅ，Ｆはそれぞれが１カットの映像ファイルのサムネイル画像を示している。各サムネイル画像には、画像の下に対応するシーン識別コード及びシーン内の通し番号が表示されている。例えば、Ｂのサムネイル画像の場合画像の下に３−２コードが表示されているが、このうち、左側の３がシーン識別コードを示し右側の２がシーン内の通し番号を示している。つまり、Ｂの映像ファイルは識別コード３の２番目の映像ファイルであることを示している。従って、図６に示した例においては、Ａ，Ｂ，Ｃの映像ファイルでシーン３という１つのシーンを示し、Ｃ，Ｂ，Ａの順に録画されたことを示している。同様に、Ｄ，Ｅの映像ファイルはシーン２という１シーンであり、Ｅ，Ｄの順で録画されたことを示している。
【００７９】
また、図６中の矢印Ｌ及び矢印Ｒは、液晶表示部４に表示できる数以上の映像ファイルが光磁気記録媒体６に記録されている場合に、サムネイル一覧の表示を切り換えるための切り換えボタンを示している。
【００８０】
また、図６中左下に表示されたＲＥＶボタンはシーンレビューを行うためのシーンレビューボタンである。シーンレビュー動作をシーン３の画像を例として説明すると、Ａ，Ｂ，Ｃのいずれかのサムネイル画像の位置のタッチパネル５をクリックした後にシーンレビューボタンＲＥＶの位置のタッチパネル５をクリックすると、Ｃ，Ｂ，Ａの順で映像ファイルの早送り再生を行う。これにより一連のシーンの確認を行うことができる。
【００８１】
また、図６中右下に表示されたボタンＳは映像ファイルを削除するためのボタンである。映像ファイル削除は削除対象のサムネイル画像の位置のタッチパネル５をクリックした後に削除ボタンＳの位置のタッチパネル５をクリックすることにより行う。
【００８２】
また、ＲＥＶボタンと削除ボタンとの間に表示された６つのボタンは、映像ファイルの再生操作用のボタンである。ボタンは左から、逆方向早送り、逆方向再生、停止、一時停止、順方向再生、順方向早送りの各操作ボタンを示している。
【００８３】
次に、シーンレビュー動作時の制御について図７を用いて説明する。
【００８４】
まず、ステップＳ５１においてシーンレビューボタンＲＥＶの入力の有無を調査する。シーンレビューボタンＲＥＶの入力が有る場合はシーンレビューを行うものと判別し、ステップＳ５２に進む。シーンレビューボタンＲＥＶの入力が無い場合はシーンレビューを行わないものと判別し、ステップＳ５１において待機する。
【００８５】
次に、ステップＳ５２において、シーンレビューを行うシーンの識別コードをサーチする。ステップＳ５２の処理が完了するとステップＳ５３に進む。
【００８６】
次に、ステップＳ５３において、シーンレビューを行うシーンの識別コードの付された映像ファイルをピックアップした上でシーン内通し番号の小さい順に並べることで、映像信号の再生順番のリストを作成する。また、再生数カウント用フラグｉを初期化し、ｉ＝１に設定する。ステップＳ５３の処理が完了するとステップＳ５４に進む。
【００８７】
次に、ステップＳ５４において、リストのｉ番目の映像ファイルを早送りで再生させる。ステップＳ５４の処理が完了するとステップＳ５５に進む。
【００８８】
次に、ステップＳ５５において、停止ボタンの入力の有無を調査する。停止ボタンの入力が有る場合はシーンレビュー動作を中止するものと判別してステップＳ５１に進み待機する。また、停止ボタンの入力が無い場合はシーンレビュー動作を継続するものと判別してステップＳ５６に進む。
【００８９】
ステップＳ５５において停止ボタンの入力が無い場合はステップＳ５６に進む。ステップＳ５６は映像ファイルの現時点のアドレスを調査する。アドレスが記録終了アドレスにと一致する場合は１つの映像信号ファイルの再生が完了したものと判別しステップＳ５７に進む。また、アドレスが記録終了アドレスと一致しない場合は映像信号ファイルの再生は完了していないと判別してステップＳ５４に進み、再生動作を継続する。
【００９０】
ステップＳ５６において１つの映像ファイルの再生が完了したと判別するとステップＳ５７に進む。ステップＳ５７は、カウンタフラグｉの値とリストアップされた映像ファイルの総数を比較する。カウンタフラグｉの値とリストアップされた映像ファイルの総数とが等しい場合は、リストアップされた映像ファイルのすべての再生動作が完了したものと判別してステップＳ５１に進み待機する。また、カウンタフラグｉの値とリストアップされた映像ファイルの総数とが等しくない場合は、リストアップされた映像ファイルのすべての再生動作は完了していないものと判別してステップＳ５８に進む。
【００９１】
ステップＳ５７において再生動作が完了していないと判別するとステップＳ５８に進む。ステップＳ５８は、カウンタフラグｉの値を１増加させる。ステップＳ５８の処理が完了するとステップＳ５４に進み、再生動作を継続する。
【００９２】
尚、第１実施形態においては、録画再生装置１００を撮影モードに設定してから再生モードに切り換えるまでに撮影された映像カットの集まりを１つのシーンとみなしているが。シーンを判別する方法としては、電源スイッチ７をＯＮにしてＯＦＦにするまでに撮影された映像カットの集まりを１つのシーンとしてみなしてもよい。また、映像カットのファイルの管理情報からファイルの記録日付を調べ、記録日が同一の映像カットの集まりを１つのシーンとみなしてもよい。また、使用者が任意に複数の映像カットを選択し、選択された映像カットに共通のシーン識別コードを付すことで、選択された映像カットの集まりを１つのシーンとしてみなしてもよい。
【００９３】
以上説明したように、本実施形態においては、映像記録時に映像カットの先頭位置を示すディスク記録媒体のアドレスおよび一定時間の記録を行った時点のディスク記録媒体のアドレスとを記憶するため、レビューを行う映像カットを素早く検索することが可能となる。また、映像再生時においては複数の映像カットからなる映像シーンを示すシーン識別コードを記憶することにより、映像シーン毎のレビューを行うことが可能となる。
【図面の簡単な説明】
【００９４】
【図１】図１は第１実施形態における録画再生装置の外観図である。
【図２】図２は第１実施形態における録画再生装置の構成を示すブロック図である。
【図３】図３は第１実施形態におけるレビュー動作設定の画面の一例を示す説明図である。
【図４】図４は第１実施形態における録画再生装置の制御を示すフローチャート図である。
【図５】図５は第１実施形態における映像ファイルを示す説明図である。
【図６】図６は第１実施形態における再生モード時の表示画面の一例を示す説明図である。
【図７】図７は第１実施形態におけるシーンレビュー動作の制御を示すフローチャート図である。
【符号の説明】
【００９５】
１：表示部本体
２：カメラ部本体
３：撮影レンズ
４：液晶表示部
５：タッチパネル
６：光磁気記録装置
７：電源スイッチ
８：カメラ／ＤＤＲ切換スイッチ
９：録画開始ボタン
１０：レビュースイッチ
１１：ズームボタン
１２：レンズ駆動部
１３：撮像素子
１４：Ａ／Ｄ変換部
１５：信号処理部
１６：フレームメモリ
１７：データ圧縮伸長部
１８：バッファメモリ
１９：データアクセス部
２０：音声入出力部
２１：Ｄ／Ａ変換部
２２：Ａ／Ｄ変換部
２３：音声信号処理部
２４：表示画像処理部
２５：制御部
２６：タッチパネル入力部
２７：ＲＯＭ
２８：ＲＡＭ
２９：操作部材入力部
１００：録画再生装置
【図１】
0004743264.tif 000002
【図２】
0004743264.tif 000003
【図３】
0004743264.tif 000004
【図４】
0004743264.tif 000005
【図５】
0004743264.tif 000006
【図６】
0004743264.tif 000007
【図７】
0004743264.tif 000008